(57)【要約】      （修正有）【課題】装置本体の前面に扉を有する画像形成装置において、装置本体の側面や裏面に余分なスペースを不要として、外部機器を容易に着脱できる画像形成装置を提供する。【解決手段】装置本体１Ａと、装置本体１Ａに対して回転軸２２を中心に開閉可能な扉１９と、装置本体１Ａに設けられた外部機器を接続するためのＵＳＢコネクタと、扉１９の回転軸２２から遠い側の端部であって扉１９が装置本体１Ａに対して閉じた状態で、扉１９におけるＵＳＢコネクタと対向に設けられた位置に設けられた切欠部２３と、を備える画像形成装置１を構成した。【選択図】図３
2016141073.tif 000002
【特許請求の範囲】
【請求項１】
装置本体と、
前記装置本体に対して中心軸を中心に開閉可能な扉と、
前記装置本体に設けられた外部機器を接続するための接続部と、
前記扉の前記中心軸から遠い側の端部であって前記扉が前記装置本体に対して閉じた状態で、前記扉における前記接続部と対向する位置に設けられた切欠部と、
を備えることを特徴とする画像形成装置。
【請求項２】
前記切欠部は、前記扉の前記中心軸に沿う方向の端部側に配置されて前記装置本体に前記扉を係合させる係合部と、前記扉の前記中心軸に沿う方向の中央側に配置されて前記装置本体に前記扉をロックさせるロック部と、の間に位置することを特徴とする請求項１に記載の画像形成装置。
【請求項３】
前記切欠き部における切れている部分以外の周囲には、前記扉の強度を補強する切欠き補強部が設けられることを特徴とする請求項１又は請求項２に記載の画像形成装置。
【請求項４】
前記装置本体の前記接続部の周囲に形成される凸部を備え、前記切欠き補強部が前記凸部に嵌合することで前記扉が前記装置本体に位置決めされることを特徴とする請求項３に記載の画像形成装置。
【請求項５】
前記切欠き部には、前記切欠部を開放及び遮蔽可能な遮蔽部材が設けられることを特徴とする請求項１乃至請求項４のいずれか１項に記載の画像形成装置。
【請求項６】
前記遮蔽部材には、前記接続部を示す表示部が設けられることを特徴とする請求項５に記載の画像形成装置。
【請求項７】
前記扉に前記接続部を複数設け、複数の前記接続部のうちの少なくとも２つが前記扉の中心軸と平行に並ぶことを特徴とする請求項１乃至請求項５のいずれか１項に記載の画像形成装置。
【請求項８】
装置本体と、
前記装置本体に対して中心軸を中心に開閉自在な扉と、
前記装置本体に形成される外部機器の接続部と、
前記扉が前記装置本体に対して閉じた状態で、前記扉における前記接続部と対向する位置に形成される穴部と、
を備え、
前記外部機器が前記穴部を介して前記接続部に接続された状態では、前記扉が前記装置本体に対して開閉不可に設定されていることを特徴とする画像形成装置。
【請求項９】
前記穴部の周囲には、前記扉の強度を補強する穴補強部が設けられることを特徴とする請求項８に記載の画像形成装置。
【請求項１０】
前記装置本体の前記接続部の周囲に形成される凸部を備え、前記穴補強部が前記凸部に嵌合することで前記扉が前記装置本体に位置決めされることを特徴とする請求項９に記載の画像形成装置。
【請求項１１】
前記穴部には、前記穴部を開放及び遮蔽可能な遮蔽部材が設けられていることを特徴とする請求項８乃至請求項１０のいずれか１項に記載の画像形成装置。
【請求項１２】
前記遮蔽部材には、前記接続部を示す表示部が設けられることを特徴とする請求項１１に記載の画像形成装置。
【発明の詳細な説明】
【技術分野】
【０００１】
本発明は、装置本体に対して外部機器を接続する画像形成装置に関する。
【背景技術】
【０００２】
特許文献１には、装置本体の側面に設けられたＵＳＢコネクタの挿入口にＵＳＢケーブルのプラグを接続する構成において、そのプラグの挿入方向を装置本体の側面に対して装置本体の前面側にθの角度で傾斜させた技術が開示されている。
【先行技術文献】
【特許文献】
【０００３】
【特許文献１】特開２００７−２１０２６７号公報
【発明の概要】
【発明が解決しようとする課題】
【０００４】
しかしながら、特許文献１に記載の発明では、プラグ（外部機器の一部）が傾斜して挿入口（外部機器の接続部）に接続されているが、ユーザは、装置本体の側面にアクセスする構成であるため、装置本体の側面の側にスペースが必要となる。
【０００５】
本発明は、上記実情に鑑み、装置本体の前面に扉を有する画像形成装置において、装置本体の側面や裏面に余分なスペースを不要として、外部機器を容易に着脱できる画像形成装置を提供することを目的とする。
【課題を解決するための手段】
【０００６】
上記目的を達成するために、本発明の画像形成装置は、装置本体と、前記装置本体に対して中心軸を中心に開閉可能な扉と、前記装置本体に設けられた外部機器を接続するための接続部と、前記扉の前記中心軸から遠い側の端部であって前記扉が前記装置本体に対して閉じた状態で、前記扉における前記接続部と対向する位置に設けられた切欠部と、を備えることを特徴とする。
【０００７】
本発明の他の画像形成装置は、装置本体と、前記装置本体に対して中心軸を中心に開閉自在な扉と、前記装置本体に形成される外部機器の接続部と、前記扉が前記装置本体に対して閉じた状態で、前記扉における前記接続部と対向する位置に形成される穴部と、を備え、前記外部機器が前記穴部を介して前記接続部に接続された状態では、前記扉が前記装置本体に対して開閉不可に設定されていることを特徴とする。
【発明の効果】
【０００８】
本発明によれば、装置本体の前面に扉を有する画像形成装置において、装置本体の側面や裏面に余分なスペースを不要として、外部機器を容易に着脱できる。
【図面の簡単な説明】
【０００９】
【図１】本発明の実施例１に係る画像形成装置の構成を示す断面図である。
【図２】画像形成装置の斜視図である。
【図３】扉が開いている画像形成装置の斜視図である。
【図４】装置本体の前面側の拡大斜視図である。
【図５】シャッタが開かれた状態の扉の斜視図である。
【図６】扉の裏面の斜視図である。
【図７】装置本体のＵＳＢコネクタの周辺の構成を示す斜視図である。
【図８】扉が閉じた状態で画像形成装置を上方から見た断面図である。
【図９】実施例２に係る画像形成装置の斜視図である。
【図１０】装置本体の前面側の拡大斜視図である。
【図１１】扉のシャッタが開いて装置本体のＵＳＢコネクタが露出する状態を示す斜視図である。
【図１２】扉の裏面の斜視図である。
【図１３】把手の斜視図である。
【図１４】スライダーカバーを外した状態の扉の裏面の斜視図である。
【図１５】シャッタを閉じた状態のときの把手を固定する機構を示す拡大裏面図である。
【図１６】シャッタを開けた状態のときの把手を固定する機構を示す拡大裏面図である。
【発明を実施するための形態】
【００１０】
以下、図面を参照して、この発明を実施するための形態を実施例に基づいて例示的に詳しく説明する。ただし、この実施例に記載されている構成部品の寸法、材質、形状、その相対位置等は、発明が適用される装置の構成や各種条件により適宜変更されるから、特に特定的な記載が無い限りは、発明の範囲をそれらのみに限定する趣旨のものではない。なお、後の実施例の構成に関して、前の実施例と同一の構成に関しては前の実施例と同一の符号を付して、前の実施例中の説明が援用されるものとする。
【実施例１】
【００１１】
図１は、本発明の実施例１に係る画像形成装置１の構成を示す断面図である。画像形成装置１は、電子写真方式を採用した画像形成装置のうち中間転写ベルトを用いた４ドラムフルカラー画像形成装置である。画像形成装置１は、装置本体１Ａを有する。装置本体１Ａの内部には、カートリッジトレイ６に装着されたカートリッジＰＹ、ＰＭ、ＰＣ、ＰＫが着脱自在に装着されている。
【００１２】
カートリッジＰＹ、ＰＭ、ＰＣ、ＰＫは、それぞれイエロー（Ｙ）、マゼンダ（Ｍ）、シアン（Ｃ）、ブラック（Ｋ）の各色の現像剤（トナー）を備えている。カートリッジＰＹ、ＰＭ、ＰＣ、ＰＫの各々は、カートリッジトレイ６に設置されており、カートリッジトレイ６と共に、装置本体１Ａに対して着脱可能に構成されている。カートリッジＰＹ、ＰＭ、ＰＣ、ＰＫの中の感光体ドラム２は、図示しない駆動モータおよび駆動伝達手段により一方の端部から駆動伝達され、図１において反時計回りに回転する。
【００１３】
感光体ドラム２の周囲には、帯電ローラ３、露光装置５、現像装置４、１次転写ローラ１１が配置される。このうち、カートリッジＰＹ、ＰＭ、ＰＣ、ＰＫには、感光体ドラム２、帯電ローラ３、現像装置４が収容される。カートリッジＰＹ、ＰＭ、ＰＣ、ＰＫの下方には、中間ユニット７が配置される。中間ユニット７は、中間転写ベルト８、駆動ローラ９、従動ローラ１０、１次転写ローラ１１を有する。中間転写ベルト８は、駆動ローラ９、従動ローラ１０に懸架されている。中間ユニット７の下方には、転写材Ｑを収容するカセット１２が配置される。
【００１４】
装置本体１Ａの左方には、下方から順に、給送ローラ１３、分離ローラ対１４、レジローラ対１５、２次転写ローラ１６、定着ローラ対１７、排出ローラ対１８が配置される。
【００１５】
感光体ドラム２の表面は、帯電ローラ３により一様に帯電され、露光装置５により静電像が形成され、現像装置４により静電像がトナーで現像されてトナー像が形成される。そして、１次転写ローラ１１によってトナー像は中間転写ベルト８に転写される。中間転写ベルト８の表面には、イエロー（Ｙ）、マゼンダ（Ｍ）、シアン（Ｃ）、ブラック（Ｋ）の各色のトナー像が重畳される。
【００１６】
転写材Ｑは、カセット１２から給送ローラ１３により給送され、分離ローラ対１４により搬送され、レジローラ対１５により斜行補正される。そして、転写材Ｑは、２次転写ローラ１６と中間転写ベルト８のニップを通過するときに、中間転写ベルト８の表面のトナー像を転写される。トナー像が転写された転写材Ｑは、定着ローラ対１７を通過することでトナー像が定着され、排出ローラ対１８を通過してトレイ５２に排出される。
【００１７】
ここで、カートリッジトレイ６、中間ユニット７は、装置本体１Ａに対して開閉する扉１９を揺動することにより、矢印Ａ方向に着脱可能に構成される。
【００１８】
図２は、画像形成装置１の斜視図である。装置本体１Ａの前面側には、扉１９が装置本体１Ａに開閉自在に設けられる。扉１９には、ユーザが扉１９を開閉するときに掴む把手２１が設けられている。装置本体１Ａには、外部からの印刷データの入力用のインターフェースとしてＵＳＢコネクタ２８（図７参照）が設けられている。ここでは、ＵＳＢメモリ２０がＵＳＢコネクタ２８に接続された状態を示している。
【００１９】
そのように、ＵＳＢコネクタ２８は、装置本体１Ａの前面（ユーザのアクセス面）に配置されている。扉１９も、装置本体１Ａの前面に配置されている。そのため、ユーザは、ＵＳＢメモリ２０を着脱するときにも、トナーが無くなったカートリッジＰＹ、ＰＭ、ＰＣ、ＰＫを交換するときにも、装置本体１Ａの前面側で作業すれば良い。従って、装置本体１Ａの側面や裏面に作業スペースを必要としない。また、ユーザは、アクセス面でＵＳＢメモリ２０を着脱できるので、視認性も高く、非常に利便性が高い。
【００２０】
図３は、扉１９が開いている画像形成装置１の斜視図である。画像形成装置１は、装置本体１Ａと、装置本体１Ａに対して『中心軸』としての回転軸２２を中心に開閉可能な扉１９と、を備える。装置本体１Ａの前面には、前述のように装置本体１Ａに設けられる『外部機器』としてのＵＳＢメモリ２０を接続するための『接続部』としてのＵＳＢコネクタ２８が設けられる。また、扉１９には、扉１９の回転軸２２から遠い側の端部であって扉１９が装置本体１Ａに対して閉じた状態で、扉１９におけるＵＳＢコネクタ２８と対向する位置に切欠部２３が設けられる。
【００２１】
特に、ＵＳＢコネクタ２８の位置と切欠部２３の位置とは、回転軸２２に沿う方向で同じ位置、かつ、回転軸２２から回転軸２２に直交する方向で距離が同じ位置に設定されている。そして、ユーザは、ＵＳＢメモリ２０をＵＳＢコネクタ２８から外さないでも、扉１９を開閉することができる。
【００２２】
切欠部２３が切欠き形状ではなく穴で構成した場合には、ユーザがＵＳＢメモリ２０を装置本体１Ａに装着したまま扉１９を開けてしまうと、扉１９とＵＳＢメモリ２０が干渉し、ＵＳＢメモリ２０や、ＵＳＢコネクタ２８を破損させてしまうことになる。
【００２３】
なお、図３のように切欠部２３の位置を扉１９における回転軸２２から遠い側の端部に設けることで、切欠部２３の形状の大きさを小さく形成しても、扉１９の開閉によるＵＳＢメモリ２０と扉１９の干渉を回避することができる。
【００２４】
また、装置本体１Ａの前面側には、把手爪２１ａと係合する被把手部５０ａと、係合爪２７に係合される被係合部５０ｂと、が形成される。
【００２５】
図４は、装置本体１Ａの前面側の拡大斜視図である。装置本体１Ａの切欠部２３には、切欠部２３を開放及び遮蔽可能な『遮蔽部材』としてのシャッタ２４が設けられる。シャッタ２４を設けることで、ＵＳＢメモリ２０を使用していないときの、扉１９のデザイン性の向上に貢献する。また、シャッタ２４を設けることで、ＵＳＢコネクタ２８を使用していない場合に、ＵＳＢコネクタ２８へ埃やチリが侵入することを防止できる。シャッタ２４には、ＵＳＢコネクタ２８を示す『表示部』としてのアイコン２４ｘが設けられるており、ユーザビリティが向上している。
【００２６】
図５は、シャッタ２４が開かれた状態の扉１９の斜視図である。この状態では、上記アイコン２４ｘは隠れた状態になる。また、シャッタ２４は、凹み面１９ａに隠れている（図６参照）。
【００２７】
図６は、扉１９の裏面の斜視図である。扉１９は、装置本体１Ａに対して、把手２１に設けられた『ロック部』としての把手爪２１ａと、扉１９の角部に設けられた２カ所の『係合部』としての係合爪２７（１カ所は図示せず）と、で係合するように構成される。扉１９を閉めた状態で、扉１９の端部が装置本体１Ａから浮いた状態になると、製品の見栄えに悪影響を与える為、係合爪２７は、扉１９の端部に位置していることが好ましい。さらに、しっかりと装置本体１Ａに係合する必要がある。
【００２８】
扉１９は、十分な剛性を有している必要がある。そのため、本実施例では、シャッタ２４が設置された切欠部２３の周辺で扉１９の強度を補強するためにの『切欠き補強部』としての鉛直補強壁２５ａと水平補強壁２５ｂ、金属ステー２６を設置している。ここで、切欠部２３の周辺とは、切欠部２３における切れている部分以外の周囲をいう。これにより、扉１９の剛性が高められる。鉛直補強壁２５ａ、水平補強壁２５ｂ、金属ステー２６は、シャッタ２４が上下動するときの規制（ガイド）も兼ねている。
【００２９】
また、扉１９の裏面には、シャッタ２４を収容する凹み面１９ａと段差面５１とが形成される。この凹み面１９ａと段差面５１は、水平補強壁２５ｂの下方に形成される。このために、凹み面１９ａの部位は、扉１９の厚みよりも板材の厚みが薄く形成されていることになる。そして、シャッタ２４が開いているときに、シャッタ２４が凹み面１９ａに隠れる。
【００３０】
図７は、装置本体１ＡのＵＳＢコネクタ２８の周辺の構成を示す斜視図である。装置本体１ＡのＵＳＢコネクタ２８の周囲には、ＵＳＢコネクタ２８に対して凸状の『凸部』としての保護部１ａが形成されている。
【００３１】
図８に扉１９が閉じた状態で画像形成装置１を上方から見た断面図である。鉛直補強壁２５ａが保護部１ａに嵌合することで扉１９が装置本体１Ａに位置決めされる。これにより、扉１９と装置本体１Ａの回転軸２２に沿う方向のズレが抑制されて、画像形成装置１の外観品質が向上する。
【００３２】
以上のように、本実施例では、一体で形成された揺動開閉する扉１９にＵＳＢメモリ２０を接続するために切欠部２３を設け、切欠部２３を介して接続されたＵＳＢメモリ２０を扉１９の切欠部２３で逃げる。このことで、ＵＳＢメモリ２０が装着されたままでも扉１９を開閉可能とし、利便性を維持している。
【００３３】
また、切欠部２３は、扉１９の回転軸２２に沿う方向の端部側に配置されて装置本体１Ａに扉１９を係合させる係合爪２７と、扉１９の回転軸２２に沿う方向の中央側に配置されて装置本体１Ａに扉１９をロックさせる把手爪２１ａと、の間に位置させる。このことで、扉１９の角部に扉１９を係合するための係合爪２７を設けることができる（図６参照）。そして、扉１９の角部の浮きを防止して、外観品質の高い画像形成装置１を提供することができる。
【００３４】
なお、本実施例では、装置本体１Ａに１カ所のＵＳＢコネクタ２８を設置した例を示したものの、複数のＵＳＢコネクタ２８を有した構成であっても良い。その場合には、少なくとも２つのＵＳＢコネクタ２８を扉１９の回転軸２２と平行に並べる。すなわち、扉１９にＵＳＢコネクタ２８を複数設け、複数のＵＳＢコネクタ２８のうちの少なくとも２つが扉１９の回転軸２２と平行に並ぶ。これにより、切欠部２３による扉１９の剛性の低下が極力低減する。
【００３５】
また、シャッタ２４としてスライド開閉できる構成のシャッタ２４を例示したものの、着脱可能なカバーでシャッタ２４を構成しても構わない。さらに、外部機器の接続部、接続対象として、ＵＳＢコネクタ２８、ＵＳＢメモリ２０を取り挙げたが、他の電子機器、ケーブルなどとの接続端子であっても構わない。
【００３６】
実施例１の構成によれば、装置本体１Ａにおけるユーザがアクセス可能な扉１９を有する装置本体１Ａの面にＵＳＢコネクタ２８があるため、視認性が高く、装置本体１Ａの設置スペースへの影響のない形でＵＳＢコネクタ２８の接続を行うことができ。また、扉１９の面内にＵＳＢコネクタ２８を位置させていることで、一体感のある扉１９の構成となり、外観品質の高い画像形成装置１を実現できる。
【００３７】
扉１９の一部を切欠くことで、外部機器を装置本体１Ａに接続したまま、扉１９を開閉することができ、切欠部２３の位置を扉１９の回転軸２２から遠い側の扉１９の端部に配置することで、切欠く領域を小さくできる。また、扉１９の操作部と、扉１９の装置本体１Ａへの係合爪２７との間に切欠部２３を配置したことで、扉１９の剛性を維持しながら、扉１９の位置決め精度を高め、画像形成装置１の外観品質を向上させることができる。
【実施例２】
【００３８】
図９は、実施例２に係る画像形成装置１の斜視図である。実施例１では、扉１９に切欠部２３が設けられてＵＳＢメモリ２０をＵＳＢコネクタ２８に接続した状態のまま扉１９の開閉を行えるように構成した。これに対して、実施例２では、扉１９にＵＳＢメモリ２０を接続するのに必要最小限の穴２９を形成することで、扉１９の剛性の低下を更に抑制する。『穴部』としての穴２９は、扉１９が装置本体１Ａに対して閉じた状態で、扉１９におけるＵＳＢコネクタ２８と対向する位置に形成される。
【００３９】
但し、扉１９が切欠かれていないため、ＵＳＢメモリ２０を接続したまま扉１９を開閉すると干渉による破損が発生することから、本実施例では、ユーザがＵＳＢメモリ２０を装置本体１Ａから取り外さないと、扉１９を開閉できないように構成した。すなわち、ＵＳＢメモリ２０が穴２９を介してＵＳＢコネクタ２８に接続された状態では、扉１９が装置本体１Ａに対して開閉不可に設定されている。以下詳細説明する。
【００４０】
図１０は、装置本体１Ａの前面側の拡大斜視図である。扉１９の穴２９には、実施例１と同様に、穴２９を開放及び遮蔽可能な『遮蔽部材』としてのシャッタ２４が設けられている。これにより、ＵＳＢコネクタ２８を使用していない場合に、ＵＳＢコネクタ２８へ埃やチリが侵入することを防止できる。シャッタ２４には、ＵＳＢコネクタ２８を示す『表示部』としてのアイコン２４ｘが設けられる。これにより、ユーザビリティが向上する。
【００４１】
図１１は、扉１９のシャッタ２４が開いて装置本体１ＡのＵＳＢコネクタ２８が露出する状態を示す斜視図である。シャッタ２４を開けると、図１１に示すように装置本体１Ａに設置されたＵＳＢコネクタ２８が露出する。
【００４２】
図１２は、扉１９の裏面の斜視図である。扉１９には、把手２１が設けられており、把手２１の把手爪２１ａと係合爪２７とによって、扉１９が装置本体１Ａに係合する構成は実施例１と同様である。扉１９の穴２９の周囲には、扉１９の強度を補強する『穴補強部』としての鉛直補強壁２５ａと水平補強壁２５ｄが設けられている。これにより、扉１９の剛性が高められる。また、前述したシャッタ２４と、後述する把手固定スライダー３１のスライド動作を案内する為のスライダーカバー３０と、が設けられる。なお、鉛直補強壁２５ａは実施例１と同様に、扉１９の装置本体１Ａへの位置決めを兼ねている。
【００４３】
図１３は、把手２１の斜視図である。把手２１には、その両端部に把手２１を扉１９に対して揺動可能に支持する為の、把手揺動軸２１ｂが設けられている。図示しない付勢手段により、扉１９の把手爪２１ａが装置本体１Ａの被把手部５０ａに係合することで、扉１９を装置本体１Ａに対して保持する構成になっている。なお、同時に、扉１９の係合爪２７が装置本体１Ａの被係合部５０ｂに係合することで、扉１９を装置本体１Ａに対して保持力が強まる構成になっている。
【００４４】
ユーザは扉１９を開けるときには、把手２１を操作することで、把手２１を把手揺動軸２１ｂの回りに揺動させて、装置本体１Ａと扉１９の係合を解除することができる。
【００４５】
なお、把手２１には、把手スリット２１ｃが設けられており、後述する把手固定スライダー３１が把手スリット２１ｃに係合することで、把手２１の揺動を妨げて把手２１がロックされる。
【００４６】
また、前述したように、装置本体１ＡのＵＳＢコネクタ２８の周囲には、『凸部』としての保護部１ａが形成される。そして、鉛直補強壁２５ａが保護部１ａに嵌合することで扉１９が装置本体１Ａに位置決めされる。これにより、画像形成装置１の外観品質を向上させることができる。
【００４７】
図１４は、スライダーカバー３０（図１２参照）を外した状態の扉１９の裏面の斜視図である。シャッタ２４に連動して把手固定スライダー３１がスライドするように構成されており、把手固定スライダー３１の把手固定部３１ａが、前述した把手スリット２１ｃに係合することで把手２１をロックする。
【００４８】
図１５は、シャッタ２４を閉じた状態のときの把手２１を固定する機構を示す拡大裏面図である。図１５は、シャッタ２４を閉じた状態、つまり、ＵＳＢメモリ２０が装置本体１Ａに接続できない状態では、シャッタ２４に設けられたカム面２４ａによって、把手固定スライダー３１の円筒ボス３１ｂが図中左方向に規制されている。この状態では、把手固定スライダー３１の把手固定部３１ａが、把手スリット２１ｃに係合しない為、把手２１はロックされない。
【００４９】
図１６は、シャッタ２４を開けたときの把手２１を固定する機構を示す拡大裏面図である。一方、図１６に示すシャッタ２４を開けた状態、つまり、ＵＳＢメモリ２０が装置本体１Ａに接続できる状態では、シャッタ２４に設けられたカム面２４ａによって、把手固定スライダー３１の円筒ボス３１ｂが図中右方向に規制されている。この状態では、把手固定スライダー３１の把手固定部３１ａが、把手スリット２１ｃと係合する為、把手２１はロックされる。
【００５０】
以上、本実施例の構成によれば、ユーザがＵＳＢコネクタ２８にＵＳＢメモリ２０を装着した状態では、扉１９を開閉することができない。そのために、扉１９に形成される穴２９は切欠部２３のように切り欠くことなく、最小限のスペースで構成することができる。従って、扉１９の剛性の低下を最小限に抑えることができると共に、外観品質を向上させることができる。
【００５１】
また、実施例１の構成と比較して、ＵＳＢメモリ２０の接続場所を扉１９の回転軸２２から遠い側の端部に限定しないで任意の位置に配置できるというメリットもある。さらに、揺動開閉する扉以外（例えば扉面に平行や垂直方向に開閉する扉など）でも効果を発揮できる。
【００５２】
なお、ＵＳＢメモリ２０を装置本体１Ａから外した際に、シャッタ２４が自然に閉じるように付勢手段を設けておくことで、ユーザビリティをさらに向上することもできる。
【００５３】
また、本実施例では、扉１９のロックを扉１９の操作部である把手部品をロックすることで行ったが、扉１９に設けられている他の部品で扉１９をロックしても良いし、装置本体１Ａにある部品で行っても効果は同じである。あるいは、ＵＳＢメモリ２０などが接続されていることを電気的に検出して、アクチュエータなどにより扉１９をロックしても構わない。
【００５４】
実施例１又は実施例２の構成によれば、装置本体１Ａの前面に扉１９を有する画像形成装置１において、装置本体１Ａの側面や裏面に余分なスペースを不要として、ＵＳＢメモリ２０等の外部機器を容易に着脱できる。
【符号の説明】
【００５５】
１    画像形成装置
１Ａ  装置本体
１９  扉
２２  回転軸（中心軸）
２３  切欠部
２８  ＵＳＢコネクタ（接続部）
【図１】
2016141073.tif 000003
【図２】
2016141073.tif 000004
【図３】
2016141073.tif 000005
【図４】
2016141073.tif 000006
【図５】
2016141073.tif 000007
【図６】
2016141073.tif 000008
【図７】
2016141073.tif 000009
【図８】
2016141073.tif 000010
【図９】
2016141073.tif 000011
【図１０】
2016141073.tif 000012
【図１１】
2016141073.tif 000013
【図１２】
2016141073.tif 000014
【図１３】
2016141073.tif 000015
【図１４】
2016141073.tif 000016
【図１５】
2016141073.tif 000017
【図１６】
2016141073.tif 000018